(57)【特許請求の範囲】
【請求項１】
容器の口部にねじ止め固定されるベースと、該ベースにより該口部を通して吊り下げ固定され、該容器内部の内容物を汲み上げるポンプと、押し下げ及び復元の繰り返しにより該ポンプを駆動させ、汲み上げた内容物を外界へ向け噴出させるノズルヘッドとを備えるポンプ式注出器であって、
前記ポンプは、前記ベースの上方への抜け止めとなるアダプターを有し、
前記アダプターは、前記ノズルヘッドとねじ結合して該ノズルヘッドの上方への移動を阻止するねじ状の係合部を備え、
前記ノズルヘッドに、該係合部と対応するねじ状の被係合部を形成した環状部を設け、
前記環状部に薄肉部を形成したことを特徴とするポンプ式注出器。
【請求項２】
前記ノズルヘッドは、押圧力を直接付与する操作部と、内容物の吐出口となるノズルとを有し、
前記環状部は、該操作部の裏面であって、該操作部の外縁または該外縁より内側に設けられたものである請求項１記載のポンプ式注出器。
【請求項３】
前記環状部の薄肉部は、少なくとも一つの溝で薄肉化したものである請求項１又は２記載のポンプ式注出器。
【発明の詳細な説明】
【技術分野】
【０００１】
本発明は、容器の口部にねじ止め固定され、ノズルヘッドの押し込みと復元によりポンプを駆動させて容器内の内容物を吐出させることが可能なポンプ式注出器に関するものであって、例えば市場流通時等において邪魔にならないように、ノズルヘッドを下方に押し込んで結合させた姿勢（以下、収納姿勢という）から、ノズルヘッドが上昇してポンプを押し込みできる姿勢（以下、押圧可能姿勢という）に変える際に、注出器と容器とのねじ止めを緩めることなく、ノズルヘッドの結合を解除しようとするものである。
【背景技術】
【０００２】
ポンプの駆動と内容物の吐出を司るノズルヘッドを備えたポンプ式の注出器は、一般に、ノズルヘッドの直下にねじ部が設けられ、このノズルヘッドを移動範囲の最下部まで押し込んで注出器本体と結合させて、この位置で保持できるようになっている（例えば特許文献１参照）。この注出器を容器の口部にねじ止め固定した注出器付き容器は、ノズルヘッドを押し込んだ収納姿勢で流通されており、これによりノズルヘッドの飛び出しを阻止して内容物の不用意な吐出を防止するとともに、無駄なスペースが無くなって輸送効率の向上が図られている。一方、ノズルヘッドを押圧可能姿勢にするには、ノズルヘッドと注出器本体との結合を解除する必要があるが、容器を把持してノズルヘッドを回転させると、ノズルヘッドの結合の解除とあわせて注出器と容器とのねじが緩んでしまう場合があり、緩んだ注出器を再度締め付ける余分な作業を伴うことなく、ノズルヘッドの結合だけが簡単に解除できる使い易い注出器が求められていた。
【先行技術文献】
【特許文献】
【０００３】
【特許文献１】実開昭６３−６０６８号公報
【発明の概要】
【発明が解決しようとする課題】
【０００４】
本発明の課題は、下方に押し込んで結合した収納姿勢のノズルヘッドを、ポンプを作動させることができる押圧可能姿勢にするにあたり、注出器と容器との装着を緩めることなくノズルヘッドの結合を解除することを可能とする、新規なポンプ式注出器を提案するところにある。
【課題を解決するための手段】
【０００５】
本発明は、容器の口部にねじ止め固定されるベースと、該ベースにより該口部を通して吊り下げ固定され、該容器内部の内容物を汲み上げるポンプと、押し下げ及び復元の繰り返しにより該ポンプを駆動させ、汲み上げた内容物を外界へ向け噴出させるノズルヘッドとを備えるポンプ式注出器であって、
前記ポンプは、前記ベースの上方への抜け止めとなるアダプターを有し、
前記アダプターは、前記ノズルヘッドとねじ結合して該ノズルヘッドの上方への移動を阻止するねじ状の係合部を備え、
前記ノズルヘッドに、該係合部と対応するねじ状の被係合部を形成した環状部を設け、
前記環状部に、薄肉部を形成したことを特徴とするポンプ式注出器である。
【０００６】
ノズルヘッドは、押圧力を直接付与する操作部と、内容物の吐出口となるノズルとを有し、
前記環状部は、該操作部の裏面であって、該操作部の外縁または該外縁より内側に設けられたものであることが望ましい。
【０００７】
前記環状部の薄肉部は、少なくとも一つの溝で薄肉化したものであることが望ましい。
【発明の効果】
【０００８】
ベースによって容器に装着されるポンプが、このベースの上方への抜け止めとなるアダプターを備えており、このアダプターにノズルヘッドの上方への移動を阻止する係合部を設ける一方、ノズルヘッドにはこの係合部と対応する被係合部を備える環状部を形成し、この環状部に薄肉部を設けたので、ノズルヘッドをアダプターに結合させる際に固く締まりすぎることが無く、押圧可能姿勢にする際には、ベースと容器とのねじが緩む前にこの結合を解除することができる。
【０００９】
ノズルヘッドに、押圧力を直接付与する操作部と、内容物の吐出口となるノズルとを設け、環状部を、操作部の裏面であって操作部の外縁に形成したので、操作部の外周輪郭そのものが環状部となり、簡単な形状でありながら、ノズルヘッドの結合を優先して解除させることができる。また環状部を、操作部の外縁より内側に設けた場合には、環状部の薄肉部が外観上目立たないので、デザインの自由度が妨げられることがない。
【００１０】
環状部の薄肉部を、少なくとも一つの溝で薄肉化したので、簡単な構成でノズルヘッドとアダプターの結合を弱めることができる。
【図面の簡単な説明】
【００１１】
【図１】本発明に従うポンプ式注出器の実施の形態につき、一部を断面で示した側面図である。
【図２】図１に示すポンプ式注出器のノズルヘッドの下面図である。
【図３】本発明に従うポンプ式注出器の他の実施の形態につき、一部を断面で示した側面図である。
【図４】図３に示すポンプ式注出器のノズルヘッドの上面図である。
【発明を実施するための形態】
【００１２】
以下、図面を参照して、本発明をより具体的に説明する。
図１は、本発明に従うポンプ式注出器の実施の形態につき、一部を断面で示した側面図であり、図２は、図１に示すポンプ式注出器のノズルヘッドの下面図である。
【００１３】
図１において、１は本発明に従うポンプ式注出器を、図示しない容器の口部に固定するベースである。ベース１は、中央部に開口１ａ１を備える天板１ａと、天板１ａの外周より垂下され、容器の口部を覆う筒体１ｂと、筒体１ｂの内側に形成され、容器の口部にねじ止めされるねじ部１ｃを有している。筒体１ｂの外側には上下方向（以下、縦方向という）に延在する凹凸状の滑り止め１ｄが形成されており、筒体１ｂをねじ止めする際に指が滑らないので、容器の口部にしっかりと取り付けることができる。
【００１４】
２は、容器内部の内容物を汲み上げるポンプである。ポンプ２は、外周壁となる筒形状のシリンダー２ａを有しており、このシリンダー２ａの上部には、フランジ２ｂが一体連結されている。フランジ２ｂは、容器の口部と天板１ａとで挟持されるものであり、これによりポンプ２は、容器の口部を通して吊り下げ固定が可能である。フランジ２ｂのさらに上部には、開口１ａ１から上方に突き出す筒体２ｃが一体連結されており、この筒体２ｃの外周面には爪部２ｄが形成されている。ポンプ２は、詳細な内部構造に関する図示は省略するが、例えばシリンダー２ａの下部に取り付けた吸引管と、この吸引管を通してシリンダー２ａの内部空間に内容物を吸引するピストンと、ピストンに上方への付勢力を与えるスプリングと、ピストンを下方へ押し込むステム２ｅと、ポンプの開口、閉栓を司る弁体とを備える、一般的に使用される各種のものが採用できる。
【００１５】
３は、ポンプ２を駆動させるとともに、汲み上げた内容物を内部空間に導入し、外界に向けて噴出させるノズルヘッドである。ノズルヘッド３は、押圧力を直接付与する操作部３ａと、操作部３ａと一体連結し内容物の吐出口３ｂ１を備えるノズル３ｂとを備えている。図示の例では、操作部３ａの中央部に、下向き凹状となる有底筒体３ａ１と、この有底筒体３ａ１の外側において上向き凹状となる有底筒体３ａ２を形成し、この有底筒体３ａ２の内側にカバー３ｃを嵌合させたものを示しているが、操作部３ａは、中央部にカバー３ｃを設けずに一体連続するものであってもよい。有底筒体３ａ１は、ステム２ｅの上部を内側に挿入して、ノズルヘッド３とステム２ｅとを結合させており、ノズルヘッド３はポンプ２の軸線に沿って移動することが可能である。これにより、ノズルヘッド３の押し込みとポンプ２のスプリングによる復元を繰り返して、ポンプ２を駆動させることができる。有底筒体３ａ２は、この底から有底筒体３ａ１を取り囲んで垂下される環状部３ａ３を備えている。環状部３ａ３の内壁には、後述するアダプターの係合部に対応するねじ状の被係合部３ａ４が形成されており、環状部に形成される薄肉部として図示の例では、環状部３ａ３の外壁に、この環状部３ａ３を部分的に薄肉化する少なくとも１つの溝３ａ５（等間隔となるように３つ設けている）を設けており、この溝３ａ５が環状部３ａ３の先端から根元まで縦方向に延びている。また操作部３ａは、この操作部３ａの外縁より垂下され、ノズルヘッド３の外周輪郭を形成する外周壁３ａ６を備えている。これにより溝３ａ５が外周壁３ａ６で覆われるので、外観上目立たないようにすることができる。
【００１６】
４は、ベース１の上部に位置し、ポンプ２と係合してベース１の上方への抜け止めとなるアダプターである。アダプター４により、ベース１はフランジ２ｂを中心として回転可能に保持されている。アダプター４は、天板４ａと、天板４ａの外縁から垂下する外周壁４ｂを備えている。天板４ａの中央部には開口部４ａ１が設けられており、有底筒体３ａ１は、この開口部４ａ１を通してステム２ｅと結合している。アダプター４の裏面には、外周壁４ｂと同心配置であってシリンダー２ａの内面と当接する筒体４ｃと、この筒体４ｃの外側に配置され、筒体２ｃを取り囲む環状体４ｄとが設けられている。環状体４ｄは、爪部２ｄに係合する係止部４ｅを備えており、これによりアダプター４はポンプ２に固定することができる。また天板４ａの上部には、開口部４ａ１の縁から起立して有底筒体３ａ１と環状部３ａ３との相互間に位置する上部筒体４ｆが形成されており、上部筒体４ｆの外周面には、被係合部３ａ４に対応するねじ状の係合部４ｆ１が設けられている。
【００１７】
５は、容器に取り付けた際に容器の口部とポンプ２のフランジ２ｂとで挟持され、内容物の漏れ出しを防止するパッキンである。図示の例でシリンダー２ａの外面には、フランジ２ｂの下面と間隔をあけて径方向外側に凸となる段部を設けているので、容器に取り付ける前であってもパッキン５が脱落することがない。
【００１８】
上記のように構成したポンプ式注出器を容器に取り付けるには、ポンプ２を容器の口部に挿入してベース１のみを回転させて容器の口部とねじ止めさせる。このときノズルヘッド３は回転しないので、容器に対してノズルヘッド３を任意の方向に向けたまま、固定することができる。また収納姿勢にするには、ノズルヘッド３を下方に押し込んでそのままポンプ２の軸線まわりに回転させ、アダプターの係合部４ｆ１とポンプ２の被係合部３ａ４を結合させる。このとき環状部３ａ３は、この環状部３ａ３を部分的に薄肉化する溝３ａ５によって複数の環状片３ａ７に分かれているので（図示の例では３つ）、ノズルヘッド３を強く閉め込んでも環状片３ａ７は径方向外側に逃げて、被係合部３ａ４と係合部４ｆ１は固く締まりすぎることがない。これにより押圧可能姿勢（ノズルヘッド３とアダプター４の係合を解除）にする際には、ベース１と容器とのねじの緩みに先駆けてこの結合を解除することができる。
【００１９】
図３、図４に示す例は、図１、図２に示す環状部３ａ３を、ノズルヘッド３の外周輪郭としたものである。また図３、図４について、図１、図２と共通する部位については、同一の符号を付して詳細な説明は省略する。
【００２０】
図３においてポンプ２は、弁体２ｆを上部に設けたものを例示したが、一般的に使用される各種のものが採用できる。ノズルヘッド３の操作部３ａは、この操作部３ａの裏面より垂下され、ステム２ｅの上部を内側に挿入する筒体３ａ１１と、この操作部３ａの外縁より垂下され、ノズルヘッド３の外周輪郭をなす環状部３ａ１２を備えている。環状部３ａ１２の内壁には、後述するアダプターの係合部と対応する被係合部３ａ１３が形成されており、環状部３ａ１２の外壁には、この環状壁３ａ１２を部分的に薄肉化する少なくとも１つの溝３ａ１４（図示の例では、等間隔となるように３つ設けている）が、環状部３ａ３の縦方向全域に亘って延びており、環状部３ａ１２を複数の環状片３ａ１５（図示の例では３つ）に分けている。溝３ａ１４を有する環状部３ａ１２を、ノズルヘッド３の外周輪郭と兼ねるようにしたので、構成を簡素化することができる。
【００２１】
図３においてアダプター４の天板４ａの裏面には、中央部に設けた開口部４ａ１の縁から垂下され、筒体３ａ１１の外側に位置する筒体４ａ１１と、筒体４ａ１１の外側を取り囲み、シリンダー２ａの内側に位置する筒体４ａ１２と、筒体４ａ１２と同心配置となり、シリンダー２ａの外側を取り囲む筒体４ａ１３と、天板４ａの外縁より垂下され、環状部３ａ１２の内側に位置する筒体４ａ１４と、筒体４ａ１４の下端より径方向外側に延びる鍔体４ａ１５と、鍔体４ａ１５の外縁より垂下されて外周輪郭をなす外周壁４ａ１６が形成されている。筒体４ａ１３は、内側に爪部２ｄに係合する係止部４ｅ（図示の例では縦方向に２箇所）を備えており、これによりアダプター４はポンプ２に固定することができる。筒体４ａ１４の外周面には、被係合部３ａ１３と結合するねじ状の係合部４ａ１７が設けられている。
【００２２】
図３、図４に示す例において、収納姿勢にする際にノズルヘッド３を強く閉め込んでも環状片３ａ１５は径方向外側に逃げて、係合部４ａ１７と被係合部３ａ１３は固く締まりすぎることがない。これにより押圧可能姿勢（ノズルヘッド３とアダプター４の係合を解除）にする際には、ベース１と容器とのねじの緩みに先駆けてこの結合を解除することができる。
【産業上の利用可能性】
【００２３】
本発明によれば、下方に押し込んで結合した収納姿勢のノズルヘッドを、ポンプを作動させることができる押圧可能姿勢にするにあたり、注出器と容器との装着を緩めることなくノズルヘッドの結合を解除することを可能とする、新規なポンプ式注出器を提供できる。
【符号の説明】
【００２４】
１    ベース
１ａ  天板
１ｂ  筒体
１ｃ  ねじ部
１ｄ  滑り止め
２    ポンプ
２ａ  シリンダー
２ｂ  フランジ
２ｃ  筒体
２ｄ  爪部
２ｅ  ステム
２ｆ  弁体
３    ノズルヘッド
３ａ  操作部
３ｂ  ノズル
３ｃ  カバー
３ａ３  環状部
３ａ４  被係合部
３ａ５  溝
３ａ１２  環状部
３ａ１３  被係合部
３ａ１４  溝
４    アダプター
４ａ  天板
４ａ１７  係合部
４ｂ  外周壁
４ｃ  筒体
４ｄ  環状体
４ｅ  係止部
４ｆ  上部筒体
４ｆ１  係合部
【図１】
0005595793.tif 000002
【図２】
0005595793.tif 000003
【図３】
0005595793.tif 000004
【図４】
0005595793.tif 000005